【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
１つ以上のタッチパッド、１つ以上のディスプレイ、及び１つ以上のジョイスティックを含む電子装置であって、
前記１つ以上のタッチパッドが機能するべく、前記１つ以上のタッチパッドが当該電子装置の本体の背面に配置されるとともに、当該電子装置のユーザが、前記１つ以上のタッチパッド又は前記１つ以上のジョイスティックの操作を通じて、当該電子装置の本体の正面に配置される前記ディスプレイに表示された１つ以上の仮想シンボルを制御可能である
ことを特徴とする電子装置。
【請求項２】
前記１つ以上のディスプレイは、タッチスクリーン式のディスプレイであることを特徴とする請求項１に記載の電子装置。
【請求項３】
タッチパッド、ディスプレイ、及びジョイスティックを有する、携帯電話、スマートフォン、通信機、マルチメディア装置、ネットブック、ノートパソコン、コンピュータタブレット、電子ブック、デジタルカメラ、又は一体型ビデオカメラであることを特徴とする請求項１に記載の電子装置。
【手続補正２】
【補正対象書類名】明細書
【補正対象項目名】全文
【補正方法】変更
【補正の内容】
【発明の詳細な説明】
【発明の名称】仮想シンボルを制御するための電子装置
【技術分野】
【０００１】
本発明は、電子装置の本体の正面に配置されたディスプレイに表示される仮想シンボルを制御するためのタッチパッド、ジョイスティック、及びディスプレイを備えた電子装置に関する。
【背景技術】
【０００２】
タッチパッド及びジョイスティックは、電子装置のディスプレイに表示される仮想シンボルの制御を含む、種々の電子装置の機能を制御するために広く使用されてきた。
【０００３】
タッチパッドは、電子装置の機能を制御するために使用されることが知られている（詳細は非特許文献１を参照されたい）。ディスプレイも、電送された画像の表示を制御するために使用されることが知られている（詳細は非特許文献２を参照されたい）。
【０００４】
ジョイスティックも、電子装置の機能を制御するのに使用されることが知られている（詳細は非特許文献３を参照されたい）。
【０００５】
後述する発明に対する最近接の技術的解決手段（原型）として、米国仮出願第６１／１８０４００号の明細書（以後、参考技術文献と称する）に記載された装置がある。この参考技術文献は、第１及び第２の主表面を有する筐体と、第１の主表面に配置されたディスプレイと、第１及び第２の主表面のうち少なくとも１つに配置されたディスプレイと、ディスプレイ及びタッチスクリーンに対し動作可能に結合されたプロセッサと、ａ）ディスプレイ上に１つ以上のアクティブ素子を有する画像を表示し、ｂ）ユーザによるタッチパッドへの操作に応じて当該タッチパッドにおけるアクティブ箇所を特定し、ｃ）タッチパッドにおけるアクティブ箇所とディスプレイ上の画像の対応するアクティブ素子とを関連付け、ｄ）変換されたアクティブ素子をディスプレイ上に表示するプロセッサが実行可能な命令と、を備えた携帯用の装置について記載している（参考技術文献の第１９頁、第１−１２行）。
【先行技術文献】
【非特許文献】
【０００６】
【非特許文献１】URL:http://en.wikipedia.org/wiki/Touchpad
【非特許文献２】http://en.wikipedia.org/wiki/Electronic_visual_display
【非特許文献３】URL:http://en.wikipedia.org/wiki/Joystick
【発明の概要】
【発明が解決しようとする課題】
【０００７】
上記装置の短所は、当該装置にジョイスティックが設けられていない点である。 上記装置のもう１つの短所は、ディスプレイ上に表示されるアクティブ素子を、ジョイスティックの操作又はタッチパッド及びジョイスティックの操作を通じて制御する機会がない点である。
【０００８】
この電子装置のユーザは、タッチパッド又はジョイスティックの操作を通じて、ディスプレイ上に表示される１つ以上のアクティブ素子を制御できない。
【課題を解決するための手段】
【０００９】
本願発明の目的及び技術上の帰結とは、電子装置の本体の正面に配置されたディスプレイに表示される仮想シンボルを制御するためのタッチパッド、ジョイスティック、及びディスプレイを備えた当該電子装置の機能上の可能性を拡張することにある。
【００１０】
本明細書及び特許請求の範囲の記載内容に対する適切な理解及び解釈のために下記の用語を使用する。
【００１１】
ジョイスティックとは、ベース上を枢軸回転して制御中の装置に対し当該装置までの角度又は方向を通知するスティック（前述した非特許文献３を参照）により構成された入力装置である。最近のビデオゲームコンソール上で使用されるジョイスティックの一般的な種類として、アナログスティックが挙げられる。このアナログスティックは、コントロールスティック又はサムスティックと称される場合があり、コントローラ（しばしばゲームコントローラ）の入力装置である。このアナログスティックは、コントローラからの突起によって構成されたジョイスティックの１つの種類である（http://en.wikipedia.org/wiki/Analog_stick参照）。
【００１２】
前述した技術上の帰結として下記の事項が達成される。
【００１３】
電子装置は、タッチパッド、ディスプレイ、及びジョイスティックを備えており、ここで、タッチパッドは当該電子装置の本体の背面に配置されて機能し、当該電子装置のユーザは、タッチパッド又はジョイスティックの操作を通じて、当該電子装置の本体の正面に配置されたディスプレイ上に表示される１つ以上の仮想シンボルを制御する。
【００１４】
タッチパッド又はタッチパッドの一部（１セクタ）は、電子装置の本体の正面に配置されたディスプレイに表示される少なくとも１つの仮想シンボルを制御可能な少なくとも１のセクタとして形成されてもよい。
【００１５】
タッチパッド又はタッチパッドの一部（１セクタ）は、部分的又は全体的に亘って凸形状に構成されていてもよい。
【００１６】
タッチパッド又はタッチパッドの一部（１セクタ）或いはジョイスティックと電子装置とは、有線の接続及び／又は電波又は別の無線の通信を介して、機能上の相互連絡をしてもよい。
【００１７】
電子装置の本体の正面のディスプレイの表面面積は、当該電子装置の本体の背面に配置されたタッチパッドの表面面積以上であってもよい。
【００１８】
タッチパッド又はタッチパッドの一部（１セクタ）或いはジョイスティックは保護カバーにより保護されてもよい。
【００１９】
ディスプレイは、タッチスクリーン式ディスプレイであってもよい。
【００２０】
電子装置は、タッチパッド、ディスプレイ、及びジョイスティックを有する、携帯電話、スマートフォン、通信機、マルチメディア装置、ネットブック、ノートパソコン、コンピュータタブレット、電子ブック、デジタルカメラ、一体型ビデオカメラ等であってもよい。
【発明を実施するための形態】
【００２１】
前述した実施形態の電子装置におけるタッチパッド、ジョイスティック、ディスプレイの配置は、本明細書で引用した非特許文献や参考技術文献等の記載を参照することによって実現可能となる。これにより電子装置の前述した複数の実施形態は全て実施可能となる。
【産業上の利用可能性】
【００２２】
本願発明は、電子装置の本体の正面に配置されたディスプレイに表示される仮想シンボルを制御するためのタッチパッド、ジョイスティック、及びディスプレイを備えた当該電子装置の機能上の可能性を拡張することを目的とするものである。